(57)【要約】【課題】シャッタを取り付けることなく記録再生装置に装填することができ、開閉が容易で、記録媒体の取り出しや収納を容易に短時間で行うことができるようにする。【解決手段】円盤状の記録媒体が載置される一半部と、一半部に回転可能に取り付けられ、一半部の記録媒体載置側を開閉する他半部とを有し、一半部に対して他半部が閉じた状態において記録媒体を回転可能に収納して記録再生装置に装填される記録媒体用カートリッジであって、一半部及び他半部の一方は記録再生ヘッドが記録媒体にアクセスするための開口を備え、一半部又は他半部は、記録再生装置におけるシャッタ駆動用の可動部材をガイドするガイド面、可動部材がシャッタ開放位置に到達したときに当接する独立突出部及びシャッタ開放位置に到達した可動部材が嵌入して収納される部材収納凹部を前端面に備える。【選択図】          図１
2004234750.tif 000002
【特許請求の範囲】
【請求項１】
（ａ）円盤状の記録媒体が載置される一半部と、
（ｂ）該一半部に回転可能に取り付けられ、該一半部の記録媒体載置側を開閉する他半部とを有し、
（ｃ）前記一半部に対して前記他半部が閉じた状態において前記記録媒体を回転可能に収納して記録再生装置に装填される記録媒体用カートリッジであって、
（ｄ）前記一半部及び他半部の少なくとも一方は記録再生ヘッドが前記記録媒体にアクセスするための開口を備え、
（ｅ）前記一半部又は他半部は、前記記録再生装置におけるシャッタ駆動用の可動部材をガイドするガイド面、前記可動部材がシャッタ開放位置に到達したときに当接する独立突出部、及び、前記シャッタ開放位置に到達した可動部材が嵌入して収納される部材収納凹部を前端面に備え、
（ｆ）前記開口を開閉するシャッタを有していないことを特徴とする記録媒体用カートリッジ。
【請求項２】
前記独立突出部は、根本部分において前記一半部又は他半部に接続され、先端部に頭部が接続された弾性を有する脚部を備え、シャッタ開放位置に到達した前記可動部材が頭部の側面に当接し、前記脚部の側面が部材収納凹部の一部を形成する請求項１に記載の記録媒体用カートリッジ。
【請求項３】
前記独立突出部は、シャッタ閉止位置方向への力を前記可動部材に付与する請求項１又は２に記載の記録媒体用カートリッジ。
【請求項４】
前記一半部又は他半部は、前記記録媒体の一方の面の中心部に形成された凹部に嵌入する中心突起を備える請求項１〜３のいずれか１項に記載の記録媒体用カートリッジ。
【発明の詳細な説明】
【０００１】
【発明の属する技術分野】
本発明は、記録媒体用カートリッジに関するものである。
【０００２】
【従来の技術】
従来、記録再生装置における記録媒体として使用される光ディスク、磁気ディスク、光磁気ディスク（ＭＯ：Ｍａｇｎｅｔｏ  Ｏｐｔｉｃａｌ  ｄｉｓｋ）等のディスク状の記録媒体は、破損や塵埃（じんあい）の付着を防止するために、カートリッジ内に収納されるようになっている（例えば、特許文献１参照。）。この場合、前記記録媒体はカートリッジ内に収納された状態で販売され、かつ、該カートリッジはねじ止めされたり溶着されたりして、簡単に開けることができないようになっている。これにより、前記記録媒体の破損や塵埃の付着を確実に防止することができる。
【０００３】
しかし、記録媒体の試験等のために前記記録媒体をカートリッジから取り出したり、試験後の記録媒体をカートリッジ内に再度収納したりする場合、極めて不便である。そのため、記録媒体を収納するトレーと、該トレーに対して開閉可能に取り付けられたカバーとから成るカートリッジが提案されている（例えば、特許文献２及び３参照。）。この場合、カートリッジの開閉が容易なので、記録媒体を試験装置に適用するときに、記録媒体の取り出しや収納が容易となり、また、必要に応じてカートリッジを交換することもできる。
【０００４】
【特許文献１】
特開平７−２５４２４９号公報
【０００５】
【特許文献２】
特開平６−３０２１４１号公報
【０００６】
【特許文献３】
特開平９−１４２５５９号公報
【０００７】
【発明が解決しようとする課題】
しかしながら、前記従来のカートリッジにおいては、記録再生装置に装填（てん）して記録媒体を使用するために、記録再生ヘッド等がアクセスするための開口を覆う開閉可能なスライド式のシャッタを取り付ける必要がある。そのため、記録媒体をカートリッジから取り出す場合には、該カートリッジを開く前に前記シャッタを取り外す必要があり、また、記録媒体をカートリッジ内に収納して、該カートリッジを閉じた後に前記シャッタを取り付ける必要がある。したがって、記録媒体をカートリッジから取り出したり、該カートリッジ内に収納したりするために手間と時間がかかってしまう。
【０００８】
もっとも、特許文献２及び３に記載されたようなカートリッジを、記録再生ヘッド等がアクセスするための開口を覆う開閉可能なスライド式のシャッタを取り付けることなく、記録再生装置に装填して使用することも考えられる。しかし、この場合、前記記録再生装置は記録媒体への記録又は記録内容の再生を実行しない。
【０００９】
通常の記録再生装置は、カートリッジが装填されると該カートリッジのシャッタを自動的に開放するためのシャッタ駆動用の可動部材を備えている。そして、前記記録再生装置にカートリッジが装填されると、前記可動部材はシャッタ又は該シャッタに付属するスライド部材に当接してシャッタを開放位置にまでスライドさせる。この場合、前記可動部材は、シャッタの閉止位置に対応する位置から、シャッタの開放位置に対応する位置にまで移動する。なお、前記シャッタはばねによって常時閉止位置の方向に付勢されているので、前記可動部材は、シャッタの開放位置に対応する位置で停止し、前記シャッタを保持して記録再生ヘッド等がアクセスするための開口を開放状態に保ち、記録媒体への記録又は記録内容の再生を可能とする。
【００１０】
ここで、前記記録再生装置は、前記可動部材がシャッタの閉止位置に対応する位置からシャッタの開放位置に対応する位置に到達して停止していることを検出して、記録再生ヘッド等がアクセスするための開口が開放状態であると判断し、記録媒体への記録又は記録内容の再生を実行するようになっている。そのため、特許文献２及び３に記載されたカートリッジのように、前記可動部材をシャッタの閉止位置に対応する位置からシャッタの開放位置に対応する位置に到達させて停止させるための構成を有していないカートリッジを、シャッタを取り付けることなく記録再生装置に装填した場合、該記録再生装置は記録媒体への記録又は記録内容の再生を実行しない。
【００１１】
また、前記可動部材は、前記シャッタを閉止位置の方向に付勢するためのばねの力を反力として受けることを前提とした構成を有しているので、前記ばねの力を受けずにシャッタの開放位置に対応する位置に移動すると、移動経路の途中で引っ掛かり、シャッタの閉止位置に対応する位置に戻ることができなくなってしまう。そのため、特許文献２及び３に記載されたカートリッジのように、前記ばねの力を前記可動部材に与えるための構成を有していないカートリッジを、シャッタを取り付けることなく記録再生装置に装填した場合、前記可動部材が何らかの要因でシャッタの開放位置に対応する位置に到達したとしても、前記カートリッジを記録再生装置から取り出したときに、前記可動部材がシャッタの閉止位置に対応する位置に戻らなくなってしまう。この場合、シャッタを備えた正常なカートリッジをその後記録再生装置に装填しても、前記可動部材が移動しないので、前記シャッタが開放位置にまでスライドしなくなる。そのため、記録媒体への記録又は記録内容の再生が実行されないだけでなく、記録再生ヘッド等の記録再生装置の部材が破損してしまうこともある。
【００１２】
このように、特許文献２及び３に記載されたようなカートリッジを、記録再生ヘッド等がアクセスするための開口を覆う開閉可能なスライド式のシャッタを取り付けることなく、記録再生装置に装填して使用することは、不可能である。
【００１３】
本発明は、前記従来のカートリッジの問題点を解決して、記録再生ヘッド等がアクセスするための開口を覆う開閉可能なスライド式のシャッタを開放位置にまでスライドさせる可動部材を、シャッタの閉止位置に対応する位置からシャッタの開放位置に対応する位置に到達させ、シャッタを閉止位置の方向に付勢するためのばねの力を反力として受けた状態で停止させるようにして、シャッタを取り付けることなく記録再生装置に装填することができ、開閉が容易で、記録媒体の取り出しや収納を容易に短時間で行うことができる記録媒体用カートリッジを提供することを目的とする。
【００１４】
【課題を解決するための手段】
そのために、本発明の記録媒体用カートリッジにおいては、円盤状の記録媒体が載置される一半部と、該一半部に回転可能に取り付けられ、該一半部の記録媒体載置側を開閉する他半部とを有し、前記一半部に対して前記他半部が閉じた状態において前記記録媒体を回転可能に収納して記録再生装置に装填される記録媒体用カートリッジであって、前記一半部及び他半部の少なくとも一方は記録再生ヘッドが前記記録媒体にアクセスするための開口を備え、前記一半部又は他半部は、前記記録再生装置におけるシャッタ駆動用の可動部材をガイドするガイド面、前記可動部材がシャッタ開放位置に到達したときに当接する独立突出部、及び、前記シャッタ開放位置に到達した可動部材が嵌（かん）入して収納される部材収納凹部を前端面に備え、前記開口を開閉するシャッタを有していない。
【００１５】
本発明の他の記録媒体用カートリッジにおいては、さらに、前記独立突出部は、根本部分において前記一半部又は他半部に接続され、先端部に頭部が接続された弾性を有する脚部を備え、シャッタ開放位置に到達した前記可動部材が頭部の側面に当接し、前記脚部の側面が部材収納凹部の一部を形成する。
【００１６】
本発明の更に他の記録媒体用カートリッジにおいては、さらに、前記独立突出部は、シャッタ閉止位置方向への力を前記可動部材に付与する。
【００１７】
本発明の更に他の記録媒体用カートリッジにおいては、さらに、前記一半部又は他半部は、前記記録媒体の一方の面の中心部に形成された凹部に嵌入する中心突起を備える。
【００１８】
【発明の実施の形態】
以下、本発明の実施の形態について図面を参照しながら詳細に説明する。
【００１９】
図１は本発明の実施の形態における記録媒体用カートリッジの分解立体図であり上半部から見た斜視図、図２は本発明の実施の形態における記録媒体用カートリッジの分解立体図であり下半部から見た斜視図、図３は本発明の実施の形態における第１の記録媒体用カートリッジの斜視図、図４は本発明の実施の形態における第２の記録媒体用カートリッジの斜視図である。
【００２０】
図において、１０は記録媒体用カートリッジであり、１１は該記録媒体用カートリッジ１０内に収納される円盤状の記録媒体としてのディスクである。該ディスク１１は、パーソナルコンピュータ、サーバ、ワークステーション等の情報処理可能な装置において情報を記録又は再生するために使用される記録再生装置において使用されるものであり、例えば、光ディスク、磁気ディスク、光磁気ディスク等であるが、情報を記録又は再生することができるディスク状の記録媒体であれば、いかなる種類のものであってもよい。なお、本実施の形態においては、説明の都合上、前記ディスク１１が光磁気ディスク、すなわち、ＭＯである場合について説明する。
【００２１】
そして、前記記録媒体用カートリッジ１０は、一半部としての下半部３０及び他半部としての上半部２０を有する。なお、前記下半部３０及び上半部２０のいずれか一方が一半部であり、他方が他半部であれば、いずれが一半部であっても他半部であってもよい。そして、前記下半部３０はトレー状の形状を備え、前記上半部２０は平板状の形状を備え、一側端縁が前記下半部３０にピボット結合されている。前記上半部２０は、前記下半部３０に一側端縁がピボット結合されているので、該一側端縁を中心として前記下半部３０に対して回転可能であり、トレーとしての下半部３０に回転可能に取り付けられた開閉可能な蓋（ふた）として機能する。図１及び２には、蓋を開けた状態の記録媒体用カートリッジ１０が示されており、蓋としての上半部２０がトレーとしての下半部３０に対し、一側端縁を中心として所定の角度をなした状態となり、前記下半部３０の上面を開放している。この状態において、前記下半部３０内にディスク１１を載置したり、前記下半部３０内からディスク１１を取り出したりすることができる。
【００２２】
また、図３及び４には、蓋を閉じた状態の記録媒体用カートリッジ１０が示されており、蓋としての上半部２０がトレーとしての下半部３０に密着して、該下半部３０の上面を閉じている。図１及び２に示されるような蓋を開けた状態の記録媒体用カートリッジ１０の下半部３０における記録媒体載置側、すなわち、内側にディスク１１を載置して、続いて、蓋としての上半部２０を一側端縁を中心として回転させて閉じることによって、図３及び４に示されるようなディスク１１が収納された蓋を閉じた状態の記録媒体用カートリッジ１０を得ることができる。なお、前記ディスク１１は、蓋を閉じた状態の記録媒体用カートリッジ１０内において回転可能となっている。
【００２３】
そして、図３及び４に示されるようなディスク１１が収納された記録媒体用カートリッジ１０は、図示されない記録再生装置におけるスロット状の挿入口に挿入されることによって、前記記録再生装置に装填され、前記ディスク１１への情報の記録又は再生が行われる。図３においては、下半部３０が下側となり上半部２０が上側となっている記録媒体用カートリッジ１０の状態が示されているが、該記録媒体用カートリッジ１０は、図４に示されるように、下半部３０が上側となり上半部２０が下側となった状態においても使用することができ、また、下半部３０が右又は左側となり上半部２０が左又は右側となった状態においても使用することができる。すなわち、上半部２０及び下半部３０の「上」及び「下」の語は、前記上半部２０及び下半部３０をそれぞれ識別するために便宜的に付与された語であり、前記上半部２０及び下半部３０の相互の位置関係を規定するものではない。記録媒体用カートリッジ１０が記録再生装置に装填される場合における前記上半部２０及び下半部３０の相互の位置関係は、前記記録再生装置におけるスロット状の挿入口の配設の方向に依存する。
【００２４】
次に、前記上半部２０の構成について詳細に説明する。
【００２５】
図５は本発明の実施の形態における記録媒体用カートリッジの上半部の外側面を示す斜視図、図６は本発明の実施の形態における記録媒体用カートリッジの上半部の内側面を示す斜視図、図７は本発明の実施の形態における記録媒体用カートリッジの上半部の外側面を示す平面図である。
【００２６】
本実施の形態において、上半部２０は、合成樹脂から成り、略正方形の平板状の形状を有する。また、前記上半部２０は、記録媒体用カートリッジ１０を記録再生装置におけるスロット状の挿入口へ挿入する方向、すなわち、挿入方向に関する前端縁（図７における上側端縁）の左右に結合部２１を有する。該結合部２１は、下半部３０にピボット結合するために、前記挿入方向に関して前方に突出するように、上半部２０に一体的に形成されている。また、左右の結合部２１の内側の側縁には、内側方向に突出する結合突起２１ａが一体的に形成されている。左右の結合部２１に形成された結合突起２１ａは、互いに向き合うようになっている。なお、該結合突起２１ａは、左右の結合部２１の外側の側縁に、外側方向に突出するように形成されていてもよい。
【００２７】
また、前記上半部２０には、記録再生装置の記録再生ヘッド等が記録媒体用カートリッジ１０内に収納されたディスク１１にアクセスするための開口としての上側開口部２３が形成されている。該上側開口部２３は、前記上半部２０の前端縁において開放された略長方形の形状を有し、図７における左右の中心部分に上下方向に延在するように形成されている。なお、前記上側開口部２３は、記録再生ヘッド等がディスク１１にアクセスすることができるものであれば、いかなる形状を有していてもよく、また、いかなる位置に形成されたものであってもよい。
【００２８】
そして、前記上半部２０の外側面には、前記挿入方向を示す模様としての矢印２６ａと、記録媒体用カートリッジ１０の所有者やディスク１１に記録された情報の名前を記載したラベル、シール等を貼（てん）付する場所を示す模様としての平滑面部２６ｂとが形成されている。
【００２９】
また、前記上半部２０の内側面の中心部には、ディスク１１の中心部に形成される図示されない円形皿状の凹部に嵌入する中心突起２４が一体的に形成されている。該中心突起２４は、図６に示されるように、前記上半部２０の内側方向に突出する円環状の壁のような形状を有しているが、外周側面が円柱の側面と同様の曲面を備えるものであれば、いかなる形状であってもよく、例えば、円盤状の形状を有していてもよい。図３に示されるような記録媒体用カートリッジ１０において、前記中心突起２４がディスク１１の一方の面における中心部に形成された図示されない円形皿状の凹部に緩く嵌入するので、前記ディスク１１は、記録媒体用カートリッジ１０内において位置ずれを起こすことなく回転することができる。
【００３０】
さらに、図１に示されるような蓋を開けた状態の記録媒体用カートリッジ１０の下半部３０内にディスク１１を上下反対にして（逆さまにして）載置した場合、蓋としての上半部２０を閉じようとすると、前記中心突起２４がディスク１１の円形皿状の凹部に嵌入することがなく、該円形皿状の凹部の反対側の面に当接するので、前記上半部２０を閉じることができない。そのため、記録媒体用カートリッジ１０の使用者は、前記上半部２０を閉じることができないことによって、ディスク１１が上下反対にして下半部３０内に載置されていることを容易に認識することができる。すなわち、前記中心突起２４は、ディスク１１が上下反対の状態で記録媒体用カートリッジ１０内に収納されることを防止することができるという効果も有する。
【００３１】
また、前記上半部２０の内側面には、下半部３０の後述される嵌合部に嵌合する嵌合部としての円環壁突起２５ａ、側壁突起２５ｂ及び弾性突起２５ｃが一体的に形成されている。
【００３２】
次に、前記下半部３０の構成について詳細に説明する。
【００３３】
図８は本発明の実施の形態における記録媒体用カートリッジの下半部の外側面を示す斜視図、図９は本発明の実施の形態における記録媒体用カートリッジの下半部の内側面を示す斜視図、図１０は本発明の実施の形態における記録媒体用カートリッジの下半部の内側面を示す平面図である。
【００３４】
本実施の形態において、下半部３０は、合成樹脂から成り、略正方形の扁（へん）平なトレー状（盆状又は皿状）の形状を有する。そして、前記下半部３０の前記挿入方向に関する前端縁（図１０における上側端縁）には厚板部３６が一体的に形成され、該厚板部３６の前記挿入方向に関する左右には、前記上半部２０の結合部２１が緩く嵌入する結合受容部３５が一体的に形成されている。ここで、前記厚板部３６の厚さ方向（図１０における紙面に垂直な方向）の寸法は、図３に示されるような蓋を閉じた状態の記録媒体用カートリッジ１０の厚さ方向の寸法に等しい。なお、前記厚板部３６は、前記前端縁の左右に分離され、中央部にはブリッジ部３３が一体的に形成されている。該ブリッジ部３３の厚さ方向の寸法は、厚板部３６の厚さ方向の寸法よりも短い。すなわち、ブリッジ部３３は左右の厚板部３６よりも薄く形成されている。
【００３５】
そして、前記結合受容部３５は、厚板部３６の一部に略矩（く）形の凹部を形成することによって形成される。また、各結合受容部３５の側壁には、前記上半部２０の結合突起２１ａが緩く嵌入される結合凹部３５ａが形成されている。そして、各結合部２１が対応する結合受容部３５に嵌入され、各結合突起２１ａが対応する結合凹部３５ａに嵌入されると、上半部２０の前端縁が下半部３０の前端縁にピボット結合された状態となる。すなわち、前記上半部２０は、結合突起２１ａを枢軸として回転可能に下半部３０に取り付けられた状態となる。これにより、前記上半部２０は、トレーとしての下半部３０に回転可能に取り付けられた開閉可能な蓋として機能する。
【００３６】
また、前記下半部３０には、記録再生装置の記録再生ヘッド、ディスク１１をチャッキングして回転させる回転装置等が記録媒体用カートリッジ１０内に収納されたディスク１１にアクセスするための開口としての下側開口部３２が形成されている。該下側開口部３２は、両端部が曲面によって形成された略長円形又は略長楕（だ）円形の形状を有し、前記挿入方向に関する左右（図１０における左右）の中心部分に上下方向に延在するように形成されている。ここで、前記下側開口部３２は、回転装置がディスク１１をチャッキングして回転させることができるように、ディスク１１の中心部に対応する大きさ及び位置に形成されていることが望ましい。なお、前記下側開口部３２は、記録再生ヘッド、回転装置等がディスク１１にアクセスすることができるものであれば、いかなる形状を有していてもよく、また、いかなる位置に形成されたものであってもよい。
【００３７】
そして、前記下半部３０の内側面には、嵌合部としての円環壁部材３４ａ、側壁部材３４ｂ及び孔（あな）部３４ｃが一体的に形成されている。蓋としての上半部２０を閉じた場合、該上半部２０の円環壁突起２５ａ、側壁突起２５ｂ及び弾性突起２５ｃは、下半部３０の円環壁部材３４ａ、側壁部材３４ｂ及び孔部３４ｃに、それぞれ、嵌合する。そして、前記弾性突起２５ｃが孔部３４ｃの側壁に弾性的に押し付けられた状態となるので、蓋としての上半部２０は、トレーとしての下半部３０に緩やかではあるがロックされた状態となる。そのため、記録媒体用カートリッジ１０の使用者が意図的に開けようとしない限り、蓋としての上半部２０が開かないようになっている。
【００３８】
なお、前記円環壁部材３４ａ及び側壁部材３４ｂの厚さ方向の寸法は、厚板部３６の厚さ方向の寸法よりも、上半部２０の厚さに相当する寸法だけ短くなっている。これにより、図３に示されるように、蓋を閉じた状態の記録媒体用カートリッジ１０は厚さが均一となる。すなわち、蓋を閉じた状態の記録媒体用カートリッジ１０における上半部２０側の外側面が平坦（たん）となる。
【００３９】
さらに、前記下半部３０には、一対の位置決め用凹部３１ａ及びカートリッジ移動用凹部３１ｂが一体的に形成されている。記録媒体用カートリッジ１０が記録再生装置におけるスロット状の挿入口に挿入されると、前記記録再生装置の図示されないカートリッジ移動装置の移動用ピンが前記カートリッジ移動用凹部３１ｂに係合し、前記記録媒体用カートリッジ１０は記録再生装置内において前後方向に移動させられるようになっている。また、前記記録媒体用カートリッジ１０が記録再生装置の内部の所定の位置に到達すると、前記記録再生装置の図示されない位置決めピンが前記位置決め用凹部３１ａに係合し、前記記録媒体用カートリッジ１０の位置決めが行われるようになっている。
【００４０】
そして、前記挿入方向に関する一方の側（図１０における右側）の厚板部３６には、ブリッジ部３３との境界部分に部材係止部４０が一体的に形成され、記録再生装置における後述されるシャッタ駆動用の可動ピン５３を係止するようになっている。また、前記挿入方向に関する一方の側の厚板部３６の前端面は、前記挿入方向に関する他方の側（図１０における左側）の厚板部３６の前端面よりも前記挿入方向に関して後退した位置に形成され、前記可動ピン５３をガイドするガイド面３６ａを構成する。なお、該ガイド面３６ａにおける外側端部は、前記挿入方向に関して突出する外側傾斜ガイド面３６ｂを構成し、前記ガイド面３６ａにおける内側端部は、前記挿入方向に関して後退する曲面状の内側傾斜ガイド面３６ｃを構成する。
【００４１】
なお、本実施の形態における記録媒体用カートリッジ１０は、ディスク１１にアクセスするための開口としての上側開口部２３及び下側開口部３２を覆う開閉可能なスライド式のシャッタを有しておらず、また、該シャッタを取り付けるための構成も有していない。そのため、蓋としての上半部２０の開閉が容易で、ディスク１１の取り出しや収納を容易に短時間で行うことができる。
【００４２】
次に、前記部材係止部４０の構成について詳細に説明する。
【００４３】
図１１は本発明の実施の形態における記録媒体用カートリッジの部材係止部の構成を示す拡大図であり図１０の部材係止部の部分を拡大した図である。
【００４４】
本実施の形態において、部材係止部４０は、下半部３０と一体的に形成された独立突出部４１を有する。該独立突出部４１は、頭部４１ａと該頭部４１ａを支持する弾性を有する脚部４１ｂとから成る。そして、前記独立突出部４１の前記挿入方向に関する一方の側（図１０における右側）には、可動ピン５３が収納される部材収納凹部４２が形成され、前記独立突出部４１の前記挿入方向に関する他方の側（図１０における左側）には、前記独立突出部４１の弾性を調整するための弾性調整凹部４４が形成されている。すなわち、前記部材収納凹部４２は、前記ガイド面３６ａを備える厚板部３６と独立突出部４１との間に形成され、弾性調整凹部４４は、厚板部３６におけるブリッジ部３３との接続部４３と独立突出部４１との間に形成されている。
【００４５】
ここで、前記部材収納凹部４２及び弾性調整凹部４４は、厚板部３６の前端面から前記挿入方向に関する後方に延在し、円環壁部材３４ａの近傍に到達するように形成されている。これにより、前記独立突出部４１は、前記挿入方向に関する両側の面が前記部材収納凹部４２及び弾性調整凹部４４によって画定され、円環壁部材３４ａの近傍を根本として、前記挿入方向に関する前方に延在する細長い形状を有する。そして、前記頭部４１ａの前記挿入方向に関する一方の側面である部材当接面４１ｃは、脚部４１ｂの前記挿入方向に関する一方の側面である収納凹部形成面４１ｄよりも、前記挿入方向に関する一方の側に突出している。この場合、前記脚部４１ｂの前記挿入方向に関する横方向（図１０における左右方向）の寸法が頭部４１ａの前記挿入方向に関する横方向の寸法よりも大幅に小さいので、前記独立突出部４１の前記挿入方向に関する横方向の弾性は、ほぼ前記脚部４１ｂによって規定される。したがって、前記独立突出部４１の前記挿入方向に関する横方向の弾性は、弾性調整凹部４４における脚部４１ｂの側面を画定する部分の形状を調整することによって調整することができる。なお、前記脚部４１ｂの根本の部分は、応力が集中するので、図１１に示されるように、アールを備えた曲面とすることが望ましい。
【００４６】
本実施の形態においては、ガイド面３６ａ及び部材係止部４０を備える厚板部３６が下半部３０に形成された場合についてのみ説明するが、前記厚板部３６が上半部２０に形成されていてもよい。すなわち、下半部３０又は上半部２０のいずれが前記ガイド面３６ａ、独立突出部４１及び部材収納凹部４２を備えていてもよい。
【００４７】
次に、前記部材係止部４０の動作について説明する。
【００４８】
図１２は本発明の実施の形態における記録媒体用カートリッジを記録再生装置に挿入したときのシャッタ駆動用の可動ピンの状態を示す図、図１３は本発明の実施の形態における記録媒体用カートリッジとシャッタ駆動用の可動ピンの位置関係を示す図である。
【００４９】
図１２には、通常の記録再生装置においてカートリッジの開閉可能なスライド式のシャッタを開閉させるためのシャッタ駆動用の可動部材の一例が示されている。なお、シャッタ駆動用の可動部材は、図１２に示されるもの以外の構成を有するものであってもよく、いかなる構成のものであってもよい。
【００５０】
図１２において、５１は、記録再生装置におけるカセットホルダであり、カートリッジの開閉可能なスライド式のシャッタを開閉させるためのシャッタ駆動用の可動部材としての可動ピン５３を有する。ここで、前記カセットホルダ５１には、可動ピン５３の移動経路を規定するガイドとしてのカム溝５２が形成されている。そして、前記可動ピン５３は、前記カム溝５２に緩く嵌入され、該カム溝５２に沿って移動する。また、前記可動ピン５３は、前記カセットホルダ５１に取り付けられたばね部材５４によって、前記挿入方向に関する一方の側（図１２における右側）の方向に付勢されている。そのため、記録再生装置に記録媒体用カートリッジ１０が挿入される前には、前記可動ピン５３はカム溝５２の図１２における右側端部に位置している。なお、５５は、前記ばね部材５４をカセットホルダ５１に取り付けるための取付部材である。
【００５１】
ここで、使用者は、記録媒体用カートリッジ１０を記録再生装置に装填する場合、前記記録媒体用カートリッジ１０を記録再生装置における図示されないスロット状の挿入口に挿入する。すると、前記記録媒体用カートリッジ１０は、図１２に示されるように、カセットホルダ５１内に進入し、ガイド面３６ａにおける外側傾斜ガイド面３６ｂが可動ピン５３に当接する。すなわち、図１３に示される位置５３−１に到達する。そして、使用者が記録媒体用カートリッジ１０を更に押し込むと、該記録媒体用カートリッジ１０がカセットホルダ５１内を前記挿入方向（図１２における上方向）に進むので、可動ピン５３は前記挿入方向に移動させられる。この場合、前記可動ピン５３はカム溝５２に沿って移動するので、ガイド面３６ａに沿って前記挿入方向に関する他方の側（図１２における左側）の方向に移動する。
【００５２】
そして、前記記録媒体用カートリッジ１０がカセットホルダ５１内を更に前記挿入方向に移動して所定の位置に到達すると、図示されない位置決めピンが前記位置決め用凹部３１ａに係合し、前記記録媒体用カートリッジ１０の位置決めが行われる。このとき、前記可動ピン５３は、ガイド面３６ａに沿って前記挿入方向に関する他方の側の方向に移動して、独立突出部４１の頭部４１ａにおける部材当接面４１ｃに当接する。ここで、前記独立突出部４１は、脚部４１ｂによって前記挿入方向に関する横方向に弾性を有するので、前記可動ピン５３が部材当接面４１ｃに当接した際に発生する衝撃が吸収される。そのため、前記可動ピン５３、カム溝５２、取付部材５５等は、衝撃を受けないので、破損したり、変形したり、他の部材に引っ掛かったりすることがない。
【００５３】
なお、前記可動ピン５３が部材当接面４１ｃに当接する位置は、開閉可能なスライド式のシャッタを備えるカートリッジを記録再生装置に挿入した場合に前記可動ピン５３がシャッタを開放位置にまでスライドさせたときの位置に相当する。そして、前記可動ピン５３は、部材収納凹部４２内に嵌入して収納され、図１３に示される位置５３−２に到達する。
【００５４】
ここで、前記可動ピン５３が部材収納凹部４２内に嵌入して収納された位置５３−２は、開閉可能なスライド式のシャッタを備えるカートリッジを記録再生装置に挿入した場合に前記可動ピン５３がシャッタの開放状態を保持するための位置に相当する。前記開閉可能なスライド式のシャッタを備えるカートリッジにおいても、部材収納凹部４２と同様の凹部が形成され、可動ピン５３は該凹部に収納されることによって、前記挿入方向に関する横方向に移動不能となり、シャッタが閉止状態の方向に移動することを防止するようになっている。そして、前記可動ピン５３が位置５３−２にあることが、記録再生装置の図示されない検出装置によって検出されると、図示されない記録再生ヘッド、回転装置等が、記録媒体用カートリッジ１０の上側開口部２３及び下側開口部３２を通して、ディスク１１にアクセスし、回転装置がディスク１１を回転させ、記録再生ヘッドがディスク１１への情報の記録又は記録内容の再生を実行する。
【００５５】
前記記録媒体用カートリッジ１０は、部材収納凹部４２を有しているので、開閉可能なスライド式のシャッタを備えていなくても、記録再生装置の可動ピン５３がシャッタの開放状態を保持するための位置である位置５３−２に到達することができる。そのため、可動ピン５３がシャッタの開放状態を保持するための位置にあることが検出され、記録再生ヘッド、回転装置等が、記録媒体用カートリッジ１０の上側開口部２３及び下側開口部３２を通してディスク１１にアクセスし、ディスク１１への情報の記録又は記録内容の再生が実行される。
【００５６】
また、前記可動ピン５３は、カム溝５２によって前記挿入方向に関する他方の側の方向へ移動させられるようになっているので、独立突出部４１の頭部４１ａにおける部材当接面４１ｃに当接したときは該部材当接面４１ｃに押し付けられ、部材収納凹部４２内に嵌入して収納されたときは独立突出部４１の脚部４１ｂにおける収納凹部形成面４１ｄに押し付けられる。ここで、前記独立突出部４１は、前記挿入方向に関する横方向の弾性を有しているので、前記可動ピン５３が部材当接面４１ｃ及び収納凹部形成面４１ｄに押し付けられると、弾性変形してばねと同様の反発力を発生する。そのため、前記可動ピン５３は、前記部材当接面４１ｃ及び収納凹部形成面４１ｄから、開閉可能なスライド式のシャッタを閉止位置の方向に付勢するためのばねの力と同様の力を反力として受けることになる。
【００５７】
ところで、記録再生装置に装填された記録媒体用カートリッジ１０を取り出す場合、使用者が図示されない取出スイッチ（エジェクトスイッチ）を操作すると、前記記録再生装置の図示されないカートリッジ移動装置の移動用ピンがカートリッジ移動用凹部３１ｂに係合し、前記記録媒体用カートリッジ１０を前記挿入方向と反対の方向（図１２における下方向）に移動させる。すると、前記可動ピン５３は、部材収納凹部４２の外に出て、ガイド面３６ａに沿って前記挿入方向に関する一方の側の方向に移動し、位置５３−１に到達する。この場合、前記可動ピン５３は、前記部材当接面４１ｃ及び収納凹部形成面４１ｄから、開閉可能なスライド式のシャッタを閉止位置の方向に付勢するためのばねの力と同様の力を反力として受けている。そのため、前記可動ピン５３は、カム溝５２等の他の部材に引っ掛かることとなく、図１３に示される位置５３−２から位置５３−１に戻ることができる。
【００５８】
このように、本実施の形態において、記録媒体用カートリッジ１０は、ディスク１１を載置するトレーとしての下半部３０、及び、該下半部３０にピボット結合された開閉可能な蓋としての上半部２０を有し、さらに、挿入方向に関する前端縁に、記録再生装置におけるシャッタ駆動用の可動ピン５３をガイドするガイド面３６ａと前記可動ピン５３を係止する部材係止部４０とを有する。そして、該部材係止部４０は、弾性を有する独立突出部４１及び前記可動ピン５３を収納する部材収納凹部４２を備える。
【００５９】
そのため、前記記録媒体用カートリッジ１０がディスク１１にアクセスするための開口としての上側開口部２３及び下側開口部３２を覆う開閉可能なスライド式のシャッタを有していなくても、前記記録媒体用カートリッジ１０を記録再生装置に装填した場合、前記可動ピン５３がシャッタの開放状態を保持するための位置である位置５３−２に到達することができる。これにより、前記記録媒体用カートリッジ１０が記録再生装置に装填されると、前記可動ピン５３がシャッタの開放状態を保持するための位置にあることが検出され、記録再生ヘッド、回転装置等が、前記上側開口部２３及び下側開口部３２を通してディスク１１にアクセスし、ディスク１１への情報の記録又は記録内容の再生が実行される。
【００６０】
また、前記可動ピン５３は、前記独立突出部４１における部材当接面４１ｃ及び収納凹部形成面４１ｄから、開閉可能なスライド式のシャッタを閉止位置の方向に付勢するためのばねの力と同様の力を反力として受ける。そのため、前記記録媒体用カートリッジ１０を記録再生装置から取り出す場合、前記可動ピン５３は、カム溝５２等の他の部材に引っ掛かることとなく、前記位置５３−２からシャッタの閉止位置に対応する位置５３−１に戻ることができる。これにより、次回に記録媒体用カートリッジ１０や他のカートリッジを記録再生装置に正常に装填することができ、記録再生ヘッド等の記録再生装置の部材が破損してしまうこともなく、記録媒体への記録又は記録内容の再生が実行される。
【００６１】
したがって、前記記録媒体用カートリッジ１０は、上側開口部２３及び下側開口部３２を覆う開閉可能なスライド式のシャッタを取り付けることなく記録再生装置に装填することができ、開閉が容易で、ディスク１１の取り出しや収納を容易に短時間で行うことができる。
【００６２】
また、前記独立突出部４１の前記挿入方向に関する横方向の弾性は、部材係止部４０に形成された弾性調整凹部４４における脚部４１ｂの側面を画定する部分の形状を調整することによって調整することができる。そのため、前記可動ピン５３が受ける反力を適切な値に容易に調整することができる。
【００６３】
さらに、前記上半部２０の内側面の中心部には、ディスク１１の中心部に形成された図示されない円形皿状の凹部に嵌入する中心突起２４が一体的に形成されている。そのため、下半部３０内にディスク１１を上下反対にして載置した場合、蓋としての上半部２０を閉じようとすると、前記中心突起２４がディスク１１の円形皿状の凹部に嵌入することがなく、該円形皿状の凹部の反対側の面に当接するので、前記上半部２０を閉じることができない。そして、使用者は、前記上半部２０を閉じることができないことによって、ディスク１１が上下反対にして下半部３０内に載置されていることを容易に認識することができる。したがって、前記中心突起２４によって、ディスク１１が上下反対の状態で記録媒体用カートリッジ１０内に収納されることを防止することができる。
【００６４】
なお、本実施の形態においては、ディスク１１が光磁気ディスク、すなわち、ＭＯである場合についてのみ説明したが、前記ディスク１１は、フロッピー（登録商標）ディスク等の磁気ディスク、ＣＤ、ＭＤ、ＤＶＤ（登録商標）等の光ディスク等、いかなる種類の円盤状（ディスク状）の記録媒体であってもよい。
【００６５】
また、本発明は前記実施の形態に限定されるものではなく、本発明の趣旨に基づいて種々変形させることが可能であり、それらを本発明の範囲から排除するものではない。
【００６６】
【発明の効果】
以上詳細に説明したように、本発明によれば、記録媒体用カートリッジにおいては、円盤状の記録媒体が載置される一半部と、該一半部に回転可能に取り付けられ、該一半部の記録媒体載置側を開閉する他半部とを有し、前記一半部に対して前記他半部が閉じた状態において前記記録媒体を回転可能に収納して記録再生装置に装填される記録媒体用カートリッジであって、前記一半部及び他半部の少なくとも一方は記録再生ヘッドが前記記録媒体にアクセスするための開口を備え、前記一半部又は他半部は、前記記録再生装置におけるシャッタ駆動用の可動部材をガイドするガイド面、前記可動部材がシャッタ開放位置に到達したときに当接する独立突出部、及び、前記シャッタ開放位置に到達した可動部材が嵌入して収納される部材収納凹部を前端面に備え、前記開口を開閉するシャッタを有していない。
【００６７】
この場合、記録媒体用カートリッジが記録媒体にアクセスするための開口を開閉するシャッタを有していなくても、前記記録媒体用カートリッジを記録再生装置に装填した場合、該記録再生装置の可動部材がシャッタの開放状態を保持するための位置である部材収納凹部の内部に到達することができる。これにより、前記記録媒体用カートリッジが記録再生装置に装填されると、前記可動部材がシャッタの開放状態を保持するための位置にあることが検出され、記録再生ヘッド、回転装置等が、前記開口を通して記録媒体にアクセスし、該記録媒体への情報の記録又は記録内容の再生が実行される。
【００６８】
また、前記可動部材は、独立突出部から、シャッタを閉止位置の方向への力を受ける。そのため、前記記録媒体用カートリッジを記録再生装置から取り出す場合、前記可動部材は、他の部材に引っ掛かることとなく、シャッタ閉止位置に対応する位置に戻ることができる。これにより、次回に記録媒体用カートリッジや他のカートリッジを記録再生装置に正常に装填することができ、記録再生ヘッド等の記録再生装置の部材が破損してしまうこともなく、記録媒体への記録又は記録内容の再生が実行される。
【００６９】
したがって、前記記録媒体用カートリッジは、開口を開閉するシャッタを取り付けることなく記録再生装置に装填することができ、開閉が容易で、記録媒体の取り出しや収納を容易に短時間で行うことができる。
【００７０】
他の記録媒体用カートリッジにおいては、さらに、前記一半部又は他半部は、前記記録媒体の一方の面の中心部に形成された凹部に嵌入する中心突起を備える。
【００７１】
この場合、一半部に記録媒体を上下反対にして載置した場合、他半部を閉じようとすると、前記中心突起が記録媒体の凹部に嵌入することがなく、該凹部の反対側の面に当接するので、前記他半部を閉じることができない。そして、使用者は、前記他半部を閉じることができないことによって、記録媒体が上下反対にして一半部に載置されていることを容易に認識することができる。したがって、記録媒体が上下反対の状態で記録媒体用カートリッジ内に収納されることを防止することができる。
【図面の簡単な説明】
【図１】本発明の実施の形態における記録媒体用カートリッジの分解立体図であり上半部から見た斜視図である。
【図２】本発明の実施の形態における記録媒体用カートリッジの分解立体図であり下半部から見た斜視図である。
【図３】本発明の実施の形態における第１の記録媒体用カートリッジの斜視図である。
【図４】本発明の実施の形態における第２の記録媒体用カートリッジの斜視図である。
【図５】本発明の実施の形態における記録媒体用カートリッジの上半部の外側面を示す斜視図である。
【図６】本発明の実施の形態における記録媒体用カートリッジの上半部の内側面を示す斜視図である。
【図７】本発明の実施の形態における記録媒体用カートリッジの上半部の外側面を示す平面図である。
【図８】本発明の実施の形態における記録媒体用カートリッジの下半部の外側面を示す斜視図である。
【図９】本発明の実施の形態における記録媒体用カートリッジの下半部の内側面を示す斜視図である。
【図１０】本発明の実施の形態における記録媒体用カートリッジの下半部の内側面を示す平面図である。
【図１１】本発明の実施の形態における記録媒体用カートリッジの部材係止部の構成を示す拡大図であり図１０の部材係止部の部分を拡大した図である。
【図１２】本発明の実施の形態における記録媒体用カートリッジを記録再生装置に挿入したときのシャッタ駆動用の可動ピンの状態を示す図である。
【図１３】本発明の実施の形態における記録媒体用カートリッジとシャッタ駆動用の可動ピンの位置関係を示す図である。
【符号の説明】
１０    記録媒体用カートリッジ
１１    ディスク
２０    上半部
２３    上側開口部
２４    中心突起
３０    下半部
３２    下側開口部
３６ａ    ガイド面
４１    独立突出部
４１ａ    頭部
４１ｂ    脚部
４１ｃ    部材当接面
４１ｄ    収納凹部形成面
４２    部材収納凹部
５３    可動ピン
【図１】
2004234750.tif 000003
【図２】
2004234750.tif 000004
【図３】
2004234750.tif 000005
【図４】
2004234750.tif 000006
【図５】
2004234750.tif 000007
【図６】
2004234750.tif 000008
【図７】
2004234750.tif 000009
【図８】
2004234750.tif 000010
【図９】
2004234750.tif 000011
【図１０】
2004234750.tif 000012
【図１１】
2004234750.tif 000013
【図１２】
2004234750.tif 000014
【図１３】
2004234750.tif 000015